(57)【要約】   本発明は、皮膚からの水分の蒸発を効果的に抑制すると同時に損傷した皮膚バリアを迅速に修復させる効能を持っているセラミドをワックスで包んで形成されたカプセルクリーム化粧品を取り出して使用する際に、破損することなく取り出して使用できるようにしたカプセルクリーム化粧品の保管用容器に関する。  本発明は、底面がコーン状である本体の底面中央に形成された引出棒滑動管を貫通できるように、回転体の引出棒昇降シリンダーに位置して前記回転体の回転により昇降する引出棒を用いて、貯蔵空間に収容されたカプセルクリーム化粧品を１つずつ、中間キャップの上面に形成された排出凹部に引き出して使用できるように構成したものである。
2020523175.tif 000002
【特許請求の範囲】
【請求項１】
皮膚からの水分の蒸発を抑制し、損傷した皮膚バリア（皮膚障壁）を迅速に修復して顔のしわとともに首のしわを改善するために使用するクリーム化粧品のうち、外部にはワックス層（１２）、内部にはエマルション状（乳濁状）の高含量セラミド（１１）を含有するように構成されたカプセルクリーム化粧品（１０）を保管・使用するための容器において、
カプセルクリーム化粧品（１０）が貯蔵される空間の床面（１１１）がコーン状であり、カプセルクリーム化粧品（１０）が底面（１１１）中央に集まるようになっており、前記底面の中央には、カプセルクリーム化粧品（１０）を押し上げる引出棒（１４０）が昇降するように位置する引出棒滑動管（１１２）が形成されており、前記引出棒（１４０）を昇降させる回転体（１２０）が下部結合部（１１３）で回動自在に組み込まれており、上部結合部（１１４）には、引出棒（１４０）により引き出されるカプセルクリーム化粧品（１０）が排出される排出凹部（１３２）が上面（１３１）に形成された中間キャップ（１３０）が結合されている、本体（１１０）と、
上端部が、前記本体（１１０）の引出棒滑動管（１１２）に凹凸結合するとともに、内部中央に、引出棒（１４０）の案内突起（１４１）が案内される昇降スクリューホール（１２１ａ）が内面に形成された引出棒昇降シリンダー（１２１）が設けられており、枠壁（１２２）の内面に形成された係止環（１２２ａ）が、前記本体（１１０）の下部結合部（１１３）の外側に備えられた係止環に係止されるように組立形成される、回転体（１２０）と、
下部外側面には、前記回転体（１２０）の引出棒昇降シリンダー（１２１）の昇降スクリューホール（１２１ａ）に沿って案内される案内突起（１４１）が対向配置されており、上端面には、カプセルクリーム化粧品（１０）が１つずつ引き出されて位置する着座凹溝（１４２）が形成されている、引出棒（１４０）と、
塵埃などから保護するための保護キャップ（１５０）がねじ締結されており、前記本体（１１０）の上部結合部（１１４）に結合環状フレーム（１３３）がアンダーカット締結されており、上面（１３１）に、引出棒（１４０）により引き出されたカプセルクリーム化粧品（１０）が露出される排出凹部（１３２）が形成されている、中間キャップ（１３０）と、からなることを特徴とする、カプセルクリーム化粧品の保管用容器。
【請求項２】
前記引出棒（１４０）が昇降する本体（１１０）の引出棒滑動管（１１２）は、引出棒（１４０）の外径と対応する内径を有し、引出棒（１４０）が回転せずに昇降できるように、前記引出棒（１４０）の外周面に形成されたＤ−カット面（１４３）と対応するＤ−カット面（１１３）を有することを特徴とする、請求項１に記載のカプセルクリーム化粧品の保管用容器。
【請求項３】
前記回転体（１２０）の引出棒昇降シリンダー（１２１）の上端と、本体（１１０）の底面（１１１）の中央に形成された引出棒滑動管（１１２）との間に、気密保持用気密リング（１６０）が挟設されることを特徴とする、請求項１に記載のカプセルクリーム化粧品の保管用容器。
【発明の詳細な説明】
【技術分野】
【０００１】
本発明は、皮膚からの水分の蒸発を抑制し、損傷した皮膚バリア（皮膚障壁）を迅速に修復して顔のしわとともに首のしわを改善するために使用するクリーム化粧品の保管用容器に係り、さらに詳しくは、皮膚からの水分の蒸発を効果的に抑制すると同時に損傷した皮膚バリアを迅速に修復させる効能を持っているセラミドをワックスで包んで形成されたカプセルクリーム化粧品を取り出して使用する際に、破損することなく取り出して使用できるようにしたカプセルクリーム化粧品の保管用容器に関する。
【背景技術】
【０００２】
現代人は、老若男女を問わずに自分で身だしなみを整えるために多くの時間と努力を費やしている。
【０００３】
その中でも、皮膚内の水分蒸発による皮膚の老化現象を抑えるための努力は、さまざまな方法で試みられているが、そのうちの一つが機能性化粧品を使用することである。
【０００４】
人体の皮膚は表皮、真皮、脂肪層で構成されている。表皮層では、外層である角質層が顔を保護する役割をし、角質層中の１５％を占める脂質は、セラミド、脂肪酸、コレステロールから構成されている。
【０００５】
その中で、セラミドは脂質の約５０％を占め、セラミドは水分の蒸発を抑制し、角質層の正方形構造を維持する機能を持っている。皮膚角質層の角化細胞は、セラミド、コレステロール、遊離脂肪酸によって強固に結合されており、皮膚細胞は、人体の他の細胞に比べてセラミドの含有量が高く、非極性である中性セラミドの含有量が多い。これは、皮膚の強固な防御バリアを構成するために必要な構造的特徴である。
【０００６】
セラミドは、皮膚表面でフィトスフィンゴシンに分解されることで、外部の有害微生物に対する抗菌バリアとして機能し、炎症の調節と創傷の回復にも重要な役割を果たす。
【０００７】
肌はは水分と油分の両方があり、適量の油成分は、皮膚からの水分の蒸発を抑える順機能を持つ。
【０００８】
皮膚の表皮の脂質層も、油分とともに皮膚の水分損失を防ぐ役割を果たし、この脂質層の主成分はセラミド（ｃｅｒａｍｉｄｅ）である。
【０００９】
セラミドの化学構造式によれば、親水性基と親油性基を一緒に持っていて、皮膚の水分蒸発を防ぐことがわかる。
【００１０】
細胞間脂質成分の中で最も重要な成分であるセラミドの不足は、細胞間脂質の形成を防ぎ、細胞間脂質の不足は、皮膚の乾燥化及び乾燥皮膚、皮膚湿疹、皮膚荒れ、アトピー性皮膚、皮膚老化促進などの現象を引き起こす。
【００１１】
現在市場に出回っている既存のクリームやローションなどは、セラミドの難溶性のために含有量が非常に限られているので、皮膚からの水分の蒸発を抑制し、損傷した皮膚バリアを迅速に修復して顔のしわや首のしわを改善するのに役に立てない。
【００１２】
上述した従来のクリームやローションの欠点を解決するために開発されたものが、カプセルクリーム（以下、「カプセルクリーム化粧品」という。）である。
【００１３】
カプセルクリーム化粧品１０は、図１に示すように、外部にはワックス層１２、内部にはエマルション状（乳濁状）の高含量セラミド１１を含有するように構成されている。
【００１４】
カプセルクリーム化粧品１０は、１つずつ取り出して使用するものであり、カプセルクリーム化粧品が収められる容器１は、図２に示す一般的なクリームタイプ化粧品容器と同じであるので、取り出して使用する際に、図３に示すようにピンセットなどのツール２を必要とした。
【００１５】
その理由は、カプセルクリーム化粧品はセラミドを軟質のワックスが包んでいるため、手で取り出して使う場合、周辺のカプセルクリーム化粧品が指にぶつかって潰れ破損するおそれがあるからである。
【００１６】
ピンセットなどを使用することにより上記の問題を解決することはできるが、取り出すためのツール（ピンセット）用のスペースを別途に備えなければならないなど製造上の煩わしさがあり、且つ、使用中に、保管不注意でツールが異物により汚染されてスキンケアに逆効果となる皮膚トラブルを引き起こす。
【発明の概要】
【発明が解決しようとする課題】
【００１７】
本発明は、従来のカプセルクリーム化粧品を容器から取り出して使用する際に発生する破損の問題を解消するために開発されたものであり、その目的は、底面がコーン状である本体の底面中央に形成された引出棒滑動管を貫通できるように、回転体の引出棒昇降シリンダーに位置して前記回転体の回転により昇降する引出棒を用いて、貯蔵空間に収容されたカプセルクリーム化粧品を１つずつ、中間キャップの上面に形成された排出凹部に引き出して使用できるようにすることにより、カプセルクリーム化粧品を容器から取り出して使用する際に、周辺カプセルクリーム化粧品が破損してしまうという従来の容器の問題を根本的に解消し、且つ、ツールの使用を排除することにより、ツールを容器に保管するのに必要なスペースを備えなければならないという容器製造上の煩わしさを解消し、しかも、保管不注意で汚染されたツールを用いてスルークリーム化粧品を取り出すと、汚染物質によりカプセルクリーム化粧品が汚染され、汚染されたカプセルクリーム化粧品の使用によって引き起こされる可能性のある皮膚トラブルを根本的に解決した、カプセルクリーム化粧品を提供することである。
【課題を解決するための手段】
【００１８】
上記目的を達成するための本発明のカプセルクリーム化粧品の保管用容器は、カプセルクリーム化粧品が貯蔵される空間の床面がコーン状であり、カプセルクリーム化粧品が底面中央に集まるようになっており、前記底面の中央には、カプセルクリーム化粧品を押し上げる引出棒が昇降するように位置する引出棒滑動管が形成されており、前記引出棒を昇降させる回転体が下部結合部で回動自在に組み込まれており、上部結合部には、引出棒により引き出されるカプセルクリーム化粧品が排出される排出凹部が上面に形成された中間キャップが結合されている、本体と、
上端部が、前記本体の引出棒滑動管に凹凸結合するとともに、内部中央に、引出棒の案内突起が案内される昇降スクリューホールが内面に形成された引出棒昇降シリンダーが設けられており、枠壁の内面に形成された係止環が、前記本体の下部結合部の外側に備えられた係止環（図示せず）に係止されるように組立形成される、回転体と、
下部外側面には、前記回転体の引出棒昇降シリンダーの昇降スクリューホールに沿って案内される案内突起が対向配置されており、上端面には、カプセルクリーム化粧品が１つずつ、引き出されて位置する着座凹溝が形成されている、引出棒と、
塵埃などから保護するための保護キャップがねじ締結されており、前記本体の上部にアンダーカット締結されており、上面に、引出棒により引き出されたカプセルクリーム化粧品が露出される排出凹部が形成されている、中間キャップと、からなることを特徴とする。
【００１９】
前記引出棒が昇降する本体の引出棒滑動管は、引出棒の外径と対応する内径を有し、引出棒が回転せずに昇降できるように、前記引出棒の外周面に形成されたＤ−カット面と対応するＤ−カット面を有することを特徴とする。
【００２０】
前記回転体の引出棒昇降シリンダーの上端と、本体の底面の中央に形成された引出棒滑動管との間に、気密保持用気密リングが挟設されることを特徴とする。
【発明の効果】
【００２１】
以上説明したように、本発明のカプセルクリーム化粧品の保管用容器は、下面がコーン状である本体１１０の底面１１１中央に形成された引出棒滑動管１１２を貫通できるように、回転体１２０の引出棒昇降シリンダー１２１に位置して前記回転体１２０の回転により昇降する引出棒１４０を用いて、貯蔵空間に収容されたカプセルクリーム化粧品１０を１つずつ、中間キャップ１３０の上面１３１に形成された排出凹部１３２に引き出して使用できるようにすることにより、
第一に、カプセルクリーム化粧品１０を容器から取り出して使用する際に、周辺カプセルクリーム化粧品が破損してしまうという従来の容器の問題を根本的に解消し、
第二に、ツール２の使用を排除することにより、ツール２を容器に保管するのに必要なスペースを備えなければならないという容器製造上の煩わしさを解消し、
第三に、保管不注意で汚染されたツール２を用いてカプセルクリーム化粧品１０を取り出すと、汚染物質によりカプセルクリーム化粧品が汚染され、汚染されたカプセルクリーム化粧品の使用によって引き起こされる可能性のある皮膚トラブルを根本的に解決した非常に有用な発明である。
【図面の簡単な説明】
【００２２】
【図１】カプセルクリーム化粧品が保管されている従来の化粧品容器の一実施例示図である。
【図２】カプセルクリーム化粧品の断面構成図である。
【図３】カプセルクリーム化粧品のツールを用いて取り出して使用する状態を示す一実施例示図である。
【図４】本発明に係るカプセルクリーム化粧品の保管用容器の構成図である。
【図５】本発明に係るカプセルクリーム化粧品の保管用容器の分離断面構成図である。
【図６】本発明に係るカプセルクリーム化粧品の保管用容器の分離断面構成図である。
【図７】本発明に係るカプセルクリーム化粧品の保管用容器にカプセルクリーム化粧品が保管された状態の断面例示図である。
【図８】本発明に係るカプセルクリーム化粧品の保管用容器に保管されたカプセルクリーム化粧品を取り出して使用する状態を示す例示図である。
【発明を実施するための形態】
【００２３】
以下、添付図面に基づき、上記目的を達成するための好適な実施例について詳述する。
【００２４】
本発明のカプセルクリーム化粧品の保管用容器は、皮膚からの水分の蒸発を抑制し、損傷した皮膚バリア（皮膚障壁）を迅速に修復して顔のしわとともに首のしわを改善するために使用するクリーム化粧品のうち、外部にはワックス層１２、内部にはエマルション状（乳濁状）の高含量セラミド１１を含有するように構成されたカプセルクリーム化粧品１０を保管・使用するためのカプセルクリーム化粧品の保管用容器１００において、
カプセルクリーム化粧品１０が収められる本体１１０と、前記本体１０の下に組み立てられ、カプセルクリーム化粧品１０を１つずつ引き出させる引出棒１４０を昇降させる回転体１２０と、前記本体１１０の上部に締結され、引出棒１４０により選別的に引き出されるカプセルクリーム化粧品１０が排出されて位置する中間キャップ１３０と、からなる。
【００２５】
前記本体１１０は、カプセルクリーム化粧品１０が貯蔵される空間の床面１１１がコーン状であり、カプセルクリーム化粧品１０が底面１１１中央に集まるようになっている。
【００２６】
前記底面１１１の中央には、カプセルクリーム化粧品１０を押し上げる引出棒１４０が昇降するように位置する引出棒滑動管１１２が形成されている。
【００２７】
前記本体１１０の下部には、引出棒１４０を昇降させる回転体１２０が結合部１１３を介して回動自在に組み込まれている。
【００２８】
上部結合部１１４には、引出棒１４０により引き出されるカプセルクリーム化粧品１０が排出される排出凹部１３２が上面１３１に形成された中間キャップ１３０が結合されている。
【００２９】
本体１１０の下部に締結される回転体１２０は、上端部が、本体１１０の引出棒滑動管１１２に凹凸結合するとともに、内部中央に、引出棒１４０の案内突起１４１が案内される昇降スクリューホール１２１ａが内面に形成された引出棒昇降シリンダー１２１が設けられている。
【００３０】
前記回転体１２０は、枠壁１２２の内面に形成された係止環１２２ａが、前記本体１１０の下部結合部１１３の外側に備えられた係止環（図示せず）に係止されるように組立形成される。
【００３１】
前記回転体１２０の引出棒昇降シリンダー１２１に配置される引出棒１４０の下部外側面には、回転体１２０の引出棒昇降シリンダー１２１の昇降スクリューホール１２１ａに沿って案内される案内突起１４１が対向配置されている。
【００３２】
前記引出棒１４０の上端面には、カプセルクリーム化粧品１０が１つずつ引き出されて位置する着座凹溝１４２が形成されている。
【００３３】
前記本体１１０の上部に締結される中間キャップ１３０には、塵埃などから保護するための保護キャップ１５０がねじ締結されている。
【００３４】
前記本体１１０の上部結合部１１４に結合環状フレーム１３３がアンダーカット締結されており、上面に、引出棒１４０により引き出されたカプセルクリーム化粧品１０が露出される排出凹部１３２が形成されている。
【００３５】
前記引出棒１４０が昇降する本体１１０の引出棒滑動管１１２は、引出棒１４０の外径と対応する内径を有し、引出棒１４０が回転せずに昇降できるように、前記引出棒１４０の外周面に形成されたＤ−カット面１４３と対応するＤ−カット面１１３を有する。
【００３６】
前記回転体１２０の引出棒昇降シリンダー１２１の上端と、本体１１０の底面１１１の中央に形成された引出棒滑動管１１２との間に、気密保持用気密リング１６０が挟設される。
【００３７】
前述した構成からなるカプセルクリーム化粧品の保管用容器１００は、枠壁１２２の係止環１２２ａが、本体１００の結合部１１３に形成された係止環（図示せず）に係止されるように、カプセルクリーム化粧品１０を収容する本体１１０の下部結合部１１３に回転体１２０を結合するが、本体１１０に回転体１２０を結合する前に、前記回転体１２０に引出棒１４０を組み立てる。
【００３８】
前記引出棒１４０の組み立ては、引出棒１４０の下部に形成された案内突起１４１を、回転体１２０の内部中央に形成された引出棒昇降シリンダー１２１の昇降スクリューホール１２１ａに沿って案内されるように位置させて行われる。
【００３９】
その後、前記引出棒昇降シリンダー１２１の上縁部に気密リング１６０を位置させた後、前述したように回転体１２０を本体１１０に組み立てる。
【００４０】
このように回転体１２０を本体１１０に組み立てる際に、引出棒昇降シリンダー１２１に組み立てられた引出棒１４０のＤ−カット面１１３ａは、本体１１０の引出棒滑動管１１２の内面のＤ−カット面１４３に対応する。
【００４１】
本体１１０に回転体１２０が組み立てられた状態で前記本体１１０にカプセルクリーム化粧品１０を充填し、上部結合部１１４に中間キャップ１３０をアンダーカット組付けされる。
【００４２】
以上のように、本体１１０に回転体１２０および中間キャップ１３０を組み立ててカプセルクリーム化粧品１０を貯蔵したカプセルクリーム保管用化粧品容器１００は、中間キャップ１３０に保護キャップ１５０を被せて販売・流通される。
【００４３】
本発明のカプセルクリーム保管用化粧品容器１００の中身を取り出して使用する際には、最初に、中間キャップ１３０にねじ締結された保護キャップ１５０を取り外す。
【００４４】
保護キャップ１５０を取り外した後、本体１１０を片手で持ち、他方の手で回転体１２０を握った状態で、前記回転体をねじ緩み方向に回転させる。
【００４５】
このとき、回転体１２０の引出棒昇降シリンダー１２１に位置している引出棒１４０は、Ｄ−カット面１４３が、本体１１０の引出棒滑動管１１２のＤ−カット面１１２ａに対応しているので、回転が規制される。
【００４６】
上記の状態で回転体１２０が回転することにより、引出棒１４０の案内突起１４１が引出棒昇降シリンダー１２１の昇降スクリューホール１２１ａに案内され、前記回転体１２０の回転により前記引出棒１４０が上昇移動する。
【００４７】
引出棒１４０が上昇移動するとき、引出棒１４０の上端に形成された着座凹溝１４２にカプセルクリーム化粧品１０が載置された状態で、図８に示すように上昇して、中間キャップ１３０の上面１３１に形成された排出凹部１３２に位置することになる。
【００４８】
図８に示すように位置付けられたカプセルクリーム化粧品１０を、所望の部位の皮膚に位置させてからこすり込む。
【００４９】
上記のように本体１１０に収められたカプセルクリーム化粧品１０は、前記本体１１０の底面１１１が、中央へ向かって円の径が徐々に小さくなるコーン状であるため、収容されたカプセルクリーム化粧品１０の残量に関係なく、前記カプセルクリーム化粧品１０は、常に引出棒１４０の着座凹溝１４２に位置することになる。
【００５０】
以上のように排出されたカプセルクリーム化粧品１０を使い終えた後は、回転体１２０を、カプセルクリーム化粧品１０を排出させるときの回転方向とは逆の方向に回転させて、図７に示すように位置させ、カプセルクリーム化粧品１０を次回排出できる位置に置く。
【００５１】
その後、中間キャップ１３０に保護キャップ１５０を締結して保管する。
【符号の説明】
【００５２】
１０  カプセルクリーム化粧品
１００  カプセルクリーム化粧品の保管用容器
１１０  本体
１１１  底面
１１２  引出棒滑動管
１１２ａ、１４３  Ｄ−カット面
１１３，１１４  結合部
１２０  回転体
１２１  引出棒昇降シリンダー
１２１ａ  昇降スクリューホール
１２２  枠壁
１３０  中間キャップ
１３１  上面
１３２  排出凹部
１３３  結合環状フレーム
１４０  引出棒
１４１  案内突起
１４２  着座凹溝
１５０  保護キャップ
１６０  気密リング
【図１】
2020523175.tif 000003
【図２】
2020523175.tif 000004
【図３】
2020523175.tif 000005
【図４】
2020523175.tif 000006
【図５】
2020523175.tif 000007
【図６】
2020523175.tif 000008
【図７】
2020523175.tif 000009
【図８】
2020523175.tif 000010
【国際調査報告】
2020523175.tif 000011
2020523175.tif 000012
2020523175.tif 000013
2020523175.tif 000014